(57)【要約】【課題】デバイスの機器情報に応じたＵＩ画面および指示書を作成することが可能な文書処理システム、文書処理装置、デバイス、文書処理システムのＵＩ表示処理方法および表示処理プログラムを提供する。【解決手段】ＵＩ処理部は文書処理装置との接続の要求を受け付けると、ブラウザは文書処理装置に対してページの要求に機器情報を含めて送信する。ＵＩ作成部は受信した要求に含まれている機器情報をデバイス情報管理部に格納する。ユーザがスキャンする文書の格納場所の指定を入力すると、ブラウザは文書処理装置に対して文書の格納場所の指定を送信する。ＵＩ作成部はデバイス情報管理部から読み出した機器情報に基づき、その複合機に応じたスキャン設定ページを作成し、作成したスキャン設定ページを複合機に送信する。ブラウザは受信したスキャン設定ページをコントロールパネルに表示する。【選択図】図１
2006129356.tif 000002
【特許請求の範囲】
【請求項１】
デバイスと文書処理装置とがネットワークを介して接続する文書処理システムにおいて、
前記デバイスは、
前記デバイスの機能に対する設定を示す機器情報を管理する機器情報管理手段と、
前記文書処理装置に対して前記機器情報を送信する機器情報送信手段と、
前記文書処理装置に対して表示情報の要求を送信する表示情報要求送信手段と、
前記文書処理装置からの前記機器情報に応じた表示情報を受信する表示情報受信手段と、
前記表示情報受信手段で受信した表示情報を表示手段に表示する表示制御手段と
を具備し、
前記文書処理装置は、
前記デバイスからの前記機器情報を受信する機器情報受信手段と、
前記機器情報受信手段で受信した機器情報を前記デバイスの情報として管理するデバイス情報管理手段と、
前記デバイスからの前記表示情報の要求を受信する表示情報要求受信手段と、
前記表示情報要求受信手段で受信した表示情報の要求により、前記デバイス情報管理手段で管理されている機器情報に応じた表示情報を作成する表示情報作成手段と、
前記表示情報作成手段で作成した表示情報を前記デバイスに対して送信する表示情報送信手段と
を具備することを特徴とする文書処理システム。
【請求項２】
前記機器情報は、
前記機能に対する設定項目と、該設定項目に対する少なくとも１つの設定値とを含み、
前記表示情報作成手段は、
前記設定項目および前記設定値を表示する設定画面を作成し、
前記設定値が複数存在する場合は、前記設定項目に対して設定値を選択することが可能な設定画面を作成し、
前記デバイスは、
前記設定項目に対して設定値を選択することが可能な設定画面により、該選択を行う選択手段
を具備することを特徴とする請求項１記載の文書処理システム。
【請求項３】
前記文書処理装置は、
前記設定項目に対する設定値を反映した前記機能が行う動作を記述した指示書を作成する指示書作成手段と、
前記指示書作成手段で作成した指示書を前記デバイスに対して送信する指示書送信手段と
を具備し、
前記デバイスは、
前記文書処理装置からの前記指示書を受信する指示書受信手段と、
前記指示書受信手段で受信した指示書を解析する指示書処理手段と、
前記指示書処理手段で解析した指示書の内容に従って前記機能の動作を実行する機能動作手段と
を具備し、
前記表示制御手段は、
前記指示書の内容を表示手段に表示する
ことを特徴とする請求項２記載の文書処理システム。
【請求項４】
前記デバイスは、
前記機能がスキャナ機能である場合、前記文書処理装置に対して該スキャナ機能により読み取った文書の格納場所の指定を送信する格納場所指定送信手段
を具備し、
前記文書処理装置は、
前記デバイスからの格納場所の指定を受信する格納場所指定受信手段
を具備し、
前記指示書作成手段は、
前記格納場所指定受信手段で受信した格納場所の指定を記述した指示書を作成し、
前記機能動作手段は、
前記指示書に記述された格納場所に前記スキャン機能により読み取った文書を格納する
ことを特徴とする請求項３記載の文書処理システム。
【請求項５】
ＷＥＢブラウザが前記機器情報送信手段、表示情報要求送信手段、表示情報受信手段、表示制御手段、指示書受信手段および格納場所指定送信手段による処理を行う
ことを特徴とする請求項４記載の文書処理システム。
【請求項６】
デバイスと文書処理装置とがネットワークを介して接続する文書処理システムにおいて、
前記デバイスは、
前記デバイスの機能に対する設定を示す機器情報を管理する機器情報管理手段と、
前記文書処理装置に対して前記機器情報を送信する機器情報送信手段と、
前記文書処理装置に対して前記機能が行う動作を記述した指示書の要求を送信する指示書要求送信手段と、
前記文書処理装置からの前記機器情報に応じた指示書を受信する指示書受信手段と、
前記指示書受信手段で受信した指示書を解析する指示書処理手段と、
前記指示書処理手段で解析した指示書の内容を表示手段に表示する表示制御手段と、
前記指示書の内容に従って前記機能の動作を実行する機能動作手段と
を具備し、
前記文書処理装置は、
前記デバイスからの前記機器情報を受信する機器情報受信手段と、
前記機器情報受信手段で受信した機器情報を前記デバイスの情報として管理するデバイス情報管理手段と、
前記デバイスからの前記指示書の要求を受信する指示書要求受信手段と、
前記指示書要求受信手段で受信した指示書の要求により、前記デバイス情報管理手段で管理されている機器情報に応じた指示書を作成する指示書作成手段と、
前記指示書作成手段で作成した指示書を前記デバイスに対して送信する指示書送信手段と
を具備することを特徴とする文書処理システム。
【請求項７】
前記機器情報は、
前記機能に対する設定項目と、該設定項目に対する少なくとも１つの設定値とを含み、
前記指示書作成手段は、
前記設定項目および前記設定値を表示する内容の指示書を作成し、
前記設定値が複数存在する場合は、前記設定項目に対して設定値を選択することが可能な指示書を作成する
ことを特徴とする請求項６記載の文書処理システム。
【請求項８】
前記デバイスは、
前記機能がスキャナ機能である場合、前記文書処理装置に対して該スキャナ機能により読み取った文書の格納場所の指定を送信する格納場所指定送信手段
を具備し、
前記文書処理装置は、
前記デバイスからの格納場所の指定を受信する格納場所指定受信手段
を具備し、
前記指示書作成手段は、
前記格納場所指定受信手段で受信した格納場所の指定を記述した指示書を作成し、
前記機能動作手段は、
前記指示書に記述された格納場所に前記スキャン機能により読み取った文書を格納する
ことを特徴とする請求項７記載の文書処理システム。
【請求項９】
ＷＥＢブラウザが前記機器情報送信手段、指示書要求送信手段、指示書受信手段、表示制御手段および格納場所指定受信手段による処理を行う
ことを特徴とする請求項８記載の文書処理システム。
【請求項１０】
デバイスとがネットワークを介して接続する文書処理装置において、
前記デバイスからの該デバイスの機能に対する設定を示す機器情報を受信する機器情報受信手段と、
前記機器情報受信手段で受信した機器情報を前記デバイスの情報として管理するデバイス情報管理手段と、
前記デバイスからの前記表示情報の要求を受信する表示情報要求受信手段と、
前記表示情報要求受信手段で受信した表示情報の要求により、前記デバイス情報管理手段で管理されている機器情報に応じた表示情報を作成する表示情報作成手段と、
前記表示情報作成手段で作成した表示情報を前記デバイスに対して送信する表示情報送信手段と
を具備することを特徴とする文書処理装置。
【請求項１１】
前記機器情報は、
前記機能に対する設定項目と、該設定項目に対する少なくとも１つの設定値とを含み、
前記表示情報作成手段は、
前記設定項目および前記設定値を表示する設定画面を作成し、
前記設定値が複数存在する場合は、前記設定項目に対して設定値を選択することが可能な設定画面を作成し、
前記デバイスは、
前記設定項目に対して設定値を選択することが可能な設定画面により、該選択を行う
ことを特徴とする請求項１０記載の文書処理装置。
【請求項１２】
前記設定項目に対する設定値を反映した前記機能が行う動作を記述した指示書を作成する指示書作成手段と、
前記指示書作成手段で作成した指示書を前記デバイスに対して送信する前記指示書送信手段と
を更に具備し、
前記デバイスは、
前記指示書を受信し、該受信した指示書を解析し、該解析した指示書の内容を表示手段に表示し、該指示書の内容に従って前記機能の動作を実行する
ことを特徴とする請求項１１記載の文書処理装置。
【請求項１３】
前記デバイスは前記機能がスキャナ機能である場合、該デバイスからの該スキャナ機能により読み取った文書の格納場所の指定を受信する格納場所指定受信手段
を更に具備し、
前記指示書作成手段は前記格納場所指定受信手段で受信した格納場所の指定を記述した指示書を作成し、
前記デバイスからの前記スキャン機能により読み取った文書を前記指示書に記述された格納場所に格納する
ことを特徴とする請求項１２記載の文書処理装置。
【請求項１４】
デバイスとネットワークを介して接続する文書処理装置において、
前記デバイスからの該デバイスの機能に対する設定を示す機器情報を受信する機器情報受信手段と、
前記機器情報受信手段で受信した機器情報を前記デバイスの情報として管理するデバイス情報管理手段と、
前記デバイスからの前記指示書の要求を受信する指示書要求受信手段と、
前記指示書要求受信手段で受信した指示書の要求により、前記デバイス情報管理手段で管理されている機器情報に応じた指示書を作成する指示書作成手段と、
前記指示書作成手段で作成した指示書を前記デバイスに対して送信する指示書送信手段と
を具備し、
前記デバイスは、
前記指示書を受信し、該受信した指示書を解析し、該解析した指示書の内容を表示手段に表示し、前記指示書の内容に従って前記機能の動作を実行する
ことを特徴とする文書処理装置。
【請求項１５】
前記機器情報は、
前記機能に対する設定項目と、該設定項目に対する少なくとも１つの設定値とを含み、
前記指示書作成手段は、
前記設定項目および前記設定値を表示する内容の指示書を作成し、
前記設定値が複数存在する場合は、前記設定項目に対して設定値を選択することが可能な指示書を作成する
ことを特徴とする請求項１４記載の文書処理装置。
【請求項１６】
前記機能がスキャナ機能である場合、前記デバイスからの該スキャナ機能により読み取った文書の格納場所の指定を受信する格納場所指定受信手段
を更に具備し、
前記指示書作成手段は前記格納場所指定受信手段で受信した格納場所の指定を記述した指示書を作成し、
前記デバイスからの前記スキャン機能により読み取った文書を前記指示書に記述された格納場所に格納する
ことを特徴とする請求項１５記載の文書処理装置。
【請求項１７】
文書処理装置とネットワークを介して接続するデバイスにおいて、
機能に対する設定を示す機器情報を管理する機器情報管理手段と、
前記文書処理装置に対して前記機器情報を送信する機器情報送信手段と、
前記文書処理装置に対して表示情報の要求を送信する表示情報要求送信手段と、
前記文書処理装置からの前記機器情報に応じた表示情報を受信する表示情報受信手段と、
前記表示情報受信手段で受信した表示情報を表示手段に表示する表示制御手段と
を具備し、
前記文書処理装置は、
前記機器情報を受信した際に、該受信した機器情報を前記デバイスの情報として管理し、
前記表示情報の要求を受信した際に、該受信した表示情報の要求により、前記管理されている機器情報に応じた表示情報を作成し、該作成した表示情報を送信する
ことを特徴とするデバイス。
【請求項１８】
前記機器情報は前記機能に対する設定項目と、該設定項目に対する少なくとも１つの設定値とを含み、
前記文書処理装置が作成した設定項目に対して設定値を選択することが可能な設定画面により、該選択を行う選択手段
を具備することを特徴とする請求項１７記載のデバイス。
【請求項１９】
前記文書処理装置からの前記設定項目に対する設定値を反映した前記機能が行う動作を記述した指示書を受信する指示書受信手段と、
前記指示書受信手段で受信した指示書を解析する指示書処理手段と、
前記指示書処理手段で解析した指示書の内容に従って前記機能の動作を実行する機能動作手段と
を具備し、
前記表示制御手段は、
前記指示書の内容を表示手段に表示する
ことを特徴とする請求項１８記載のデバイス。
【請求項２０】
前記機能がスキャナ機能である場合、前記文書処理装置に対して該スキャナ機能により読み取った文書の格納場所の指定を送信する格納場所指定送信手段
を具備し、
前記文書処理装置は、
前記デバイスからの格納場所の指定を受信し、該受信した格納場所の指定を記述した指示書を作成し、
前記機能動作手段は、
前記指示書に記述された格納場所に前記スキャン機能により読み取った文書を格納する
ことを特徴とする請求項１９記載のデバイス。
【請求項２１】
ＷＥＢブラウザが前記機器情報送信手段、表示情報要求送信手段、表示情報受信手段、表示制御手段、指示書受信手段および格納場所指定送信手段による処理を行う
ことを特徴とする請求項２０記載のデバイス。
【請求項２２】
文書処理装置とネットワークを介して接続するデバイスにおいて、
機能に対する設定を示す機器情報を管理する機器情報管理手段と、
前記文書処理装置に対して前記機器情報を送信する機器情報送信手段と、
前記文書処理装置に対して前記機能が行う動作を記述した指示書の要求を送信する指示書要求送信手段と、
前記文書処理装置からの前記機器情報に応じた指示書を受信する指示書受信手段と、
前記指示書受信手段で受信した指示書を解析する指示書処理手段と、
前記指示書処理手段で解析した指示書の内容を表示手段に表示する表示制御手段と、
前記指示書の内容に従って前記機能の動作を実行する機能動作手段と
を具備し、
前記文書処理装置は、
前記機器情報を受信した際に、該受信した機器情報を前記デバイスの情報として管理し、
前記指示書の要求を受信した際に、該受信した指示書の要求により、前記管理されている機器情報に応じた指示書を作成し、該作成した指示書を前記デバイスに対して送信する
ことを特徴とするデバイス。
【請求項２３】
前記機器情報は、
前記機能に対する設定項目と、該設定項目に対する少なくとも１つの設定値とを含み、
前記文書処理装置は、
前記設定項目および前記設定値を表示する内容の指示書を作成し、
前記設定値が複数存在する場合は、前記設定項目に対して設定値を選択することが可能な指示書を作成する
ことを特徴とする請求項２２記載のデバイス。
【請求項２４】
前記機能がスキャナ機能である場合、前記文書処理装置に対して該スキャナ機能により読み取った文書の格納場所の指定を送信する格納場所指定送信手段
を具備し、
前記文書処理装置は、
前記格納場所指定受信手段で受信した格納場所の指定を記述した指示書を作成し、
前記機能動作手段は、
前記指示書に記述された格納場所に前記スキャン機能により読み取った文書を格納する
ことを特徴とする請求項２３記載のデバイス。
【請求項２５】
ＷＥＢブラウザが前記機器情報送信手段、指示書要求送信手段、指示書受信手段、表示制御手段および格納場所指定受信手段による処理を行う
ことを特徴とする請求項２４記載のデバイス。
【請求項２６】
デバイスと文書処理装置とがネットワークを介して接続する文書処理システムのＵＩ表示処理方法において、
前記デバイスは機能に対する設定を示す機器情報を機器情報管理手段により管理し、
前記デバイスは前記文書処理装置に対して前記機器情報を機器情報送信手段により送信し、
前記文書処理装置は前記デバイスからの前記機器情報を機器情報受信手段により受信し、該受信した機器情報を前記デバイスの情報としてデバイス情報管理手段で管理し、
前記デバイスは前記文書処理装置に対して表示情報の要求を表示情報要求送信手段により送信し、
前記文書処理装置は前記デバイスからの前記表示情報の要求を表示情報要求受信手段により受信し、該受信した表示情報の要求により、前記デバイス情報管理手段で管理されている機器情報に応じた表示情報を表示情報作成手段により作成し、該作成した表示情報を前記デバイスに対して表示情報送信手段により送信し、
前記デバイスは前記文書処理装置からの前記機器情報に応じた表示情報を表示情報受信手段により受信し、該受信した表示情報を表示制御手段により表示手段に表示する
ことを特徴とする文書処理システムのＵＩ表示処理方法。
【請求項２７】
前記文書処理装置は、
前記設定項目に対する設定値を反映した前記機能が行う動作を記述した指示書を指示書作成手段手段により作成し、
該作成した指示書を前記デバイスに対して指示書送信手段により送信し、
前記デバイスは、
前記文書処理装置からの前記指示書を指示書受信手段により受信し、
該受信した指示書を指示書処理手段により解析し、
該解析した指示書の内容に従って前記機能の動作を機能動作手段により実行し、
前記表示制御手段は、
前記指示書の内容を表示手段に表示する
ことを特徴とする請求項２６記載の文書処理システムのＵＩ表示処理方法。
【請求項２８】
デバイスと文書処理装置とがネットワークを介して接続する文書処理システムのＵＩ表示処理方法において、
前記デバイスは前記デバイスの機能に対する設定を示す機器情報を機器情報管理手段により管理し、
前記デバイスは前記文書処理装置に対して前記機器情報を機器情報送信手段により送信し、
前記文書処理装置は前記デバイスからの前記機器情報を機器情報受信手段により受信し、該受信した機器情報を前記デバイスの情報としてデバイス情報管理手段で管理し、
前記デバイスは前記文書処理装置に対して前記機能が行う動作を記述した指示書の要求を指示書要求送信手段により送信し、
前記文書処理装置は前記デバイスからの前記指示書の要求を指示書要求受信手段により受信し、該受信した指示書の要求により、前記デバイス情報管理手段で管理されている機器情報に応じた指示書を指示書作成手段により作成し、該作成した指示書を指示書送信手段により前記デバイスに対して送信し、
前記デバイスは前記文書処理装置からの前記機器情報に応じた指示書を指示書受信手段により受信し、該受信した指示書を指示書処理手段により解析し、該解析した指示書の内容を表示制御手段により表示手段に表示し、該指示書の内容に従って前記機能の動作を機能動作手段により実行する
ことを特徴とする文書処理システムのＵＩ表示処理方法。
【請求項２９】
文書処理装置とネットワークを介して接続するデバイスの有するＵＩの表示処理プログラムにおいて、
前記デバイスの機能に対する設定を示す機器情報を管理する処理と、
前記文書処理装置に対して前記機器情報を送信する処理と、
前記文書処理装置に対して表示情報の要求を送信する処理と、
前記文書処理装置からの前記機器情報に応じた表示情報を受信する処理と、
前記表示情報受信手段で受信した表示情報を表示手段に表示する処理と
を前記デバイスに動作させ、
前記デバイスからの前記機器情報を受信する処理と、
該受信した機器情報を前記デバイスの情報として管理する処理と、
前記デバイスからの前記表示情報の要求を受信する処理と、
該受信した表示情報の要求により、前記管理されている機器情報に応じた表示情報を作成する処理と、
該作成した表示情報を前記デバイスに対して送信する処理と
を前記文書処理装置に動作させることを特徴とする表示処理プログラム。
【請求項３０】
前記設定項目に対する設定値を反映した前記機能が行う動作を記述した指示書を作成する処理と、
該作成した指示書を前記デバイスに対して送信する処理と
を前記文書処理装置に動作させ、
前記文書処理装置からの前記指示書を受信する処理と、
該受信した指示書を解析する処理と、
該解析した指示書の内容に従って前記機能の動作を実行する処理と、
前記指示書の内容を表示手段に表示する処理と
を前記デバイスに動作させることを特徴とする請求項２９記載の表示処理プログラム。
【請求項３１】
文書処理装置とネットワークを介して接続するデバイスの有するＵＩの表示処理プログラムにおいて、
前記デバイスの機能に対する設定を示す機器情報を管理する処理と、
前記文書処理装置に対して前記機器情報を送信する処理と、
前記文書処理装置に対して前記機能が行う動作を記述した指示書の要求を送信する処理と、
前記文書処理装置からの前記機器情報に応じた指示書を受信する処理と、
該受信した指示書を解析する処理と、
該解析した指示書の内容を表示手段に表示する処理と、
前記指示書の内容に従って前記機能の動作を実行する処理と
を前記デバイスに動作させ、
前記デバイスからの前記機器情報を受信する処理と、
該受信した機器情報を前記デバイスの情報として管理する処理と、
前記デバイスからの前記指示書の要求を受信する処理と、
該受信した指示書の要求により、前記管理されている機器情報に応じた指示書を作成する処理と、
該作成した指示書を前記デバイスに対して送信する処理と
を前記文書処理装置に動作させることを特徴とする表示処理プログラム。
【発明の詳細な説明】
【技術分野】
【０００１】
本発明は、文書処理システム、文書処理装置、デバイス、文書処理システムのＵＩ表示処理方法および表示処理プログラムに関し、特に、文書の転送および格納を行う文書処理システム、文書処理装置、デバイス、文書処理システムのＵＩ表示処理方法および表示処理プログラムに関する。
【背景技術】
【０００２】
従来、デバイスのコントロールパネルのＵＩ（User Interface）表示において、ＵＩ表示設定を切り替えるには、管理者がデバイス毎に設定したり、デバイスに専用のソフトウェアをインストールする必要があった。
【０００３】
例えば、ユーザー端末からのアクセス要求に基づき、ユーザー端末に対して、画像形成装置の操作画面の基本フォーマットの画面を表示させ、基本フォーマットの画面上からのユーザーの操作入力に基づいて、操作画面の編集処理を行い、ユーザーの編集内容に応じた編集画面をユーザー端末に表示させる情報処理方法、情報処理システム、情報処理装置、及びプログラムを記録した情報記録媒体がある（例えば、特許文献１参照。）。
【０００４】
また、Ｗｅｂサーバとデバイス上のＷｅｂブラウザを連携させる技術がある。
【特許文献１】特開２００３−１５０９７１号公報
【発明の開示】
【発明が解決しようとする課題】
【０００５】
しかし、Ｗｅｂサーバとデバイス上のＷｅｂブラウザを連携させる技術では、デバイスで表示するＵＩ画面をＷｅｂサーバ側で動的に変更できるものの、デバイスの機器情報に応じてＵＩ画面を変更することはできなかった。例えば、Ｗｅｂサーバはデバイスの処理に関する設定可能な項目を知らないため、設定画面をＵＩ画面としてデバイスに送る際には、予め決められたＵＩ画面をデバイスに送るのみで、デバイス毎の設定可能な項目に応じた設定画面を送ることはできなかった。更に、デバイスとＷｅｂサーバとのやり取りを元にして動的に指示書を作成することはできるものの、デバイスの機器情報に応じて指示書を変更することはできなかった。
【０００６】
そこで、本発明は、デバイスの機器情報に応じたＵＩ画面および指示書を作成することが可能な文書処理システム、文書処理装置、デバイス、文書処理システムのＵＩ表示処理方法および表示処理プログラムを提供することを目的とする。
【課題を解決するための手段】
【０００７】
上記目的を達成するため、請求項１の発明は、デバイスと文書処理装置とがネットワークを介して接続する文書処理システムにおいて、前記デバイスは、前記デバイスの機能に対する設定を示す機器情報を管理する機器情報管理手段と、前記文書処理装置に対して前記機器情報を送信する機器情報送信手段と、前記文書処理装置に対して表示情報の要求を送信する表示情報要求送信手段と、前記文書処理装置からの前記機器情報に応じた表示情報を受信する表示情報受信手段と、前記表示情報受信手段で受信した表示情報を表示手段に表示する表示制御手段とを具備し、前記文書処理装置は、前記デバイスからの前記機器情報を受信する機器情報受信手段と、前記機器情報受信手段で受信した機器情報を前記デバイスの情報として管理するデバイス情報管理手段と、前記デバイスからの前記表示情報の要求を受信する表示情報要求受信手段と、前記表示情報要求受信手段で受信した表示情報の要求により、前記デバイス情報管理手段で管理されている機器情報に応じた表示情報を作成する表示情報作成手段と、前記表示情報作成手段で作成した表示情報を前記デバイスに対して送信する表示情報送信手段とを具備することを特徴とする。
【０００８】
また、請求項２の発明は、請求項１の発明において、前記機器情報は、前記機能に対する設定項目と、該設定項目に対する少なくとも１つの設定値とを含み、前記表示情報作成手段は、前記設定項目および前記設定値を表示する設定画面を作成し、前記設定値が複数存在する場合は、前記設定項目に対して設定値を選択することが可能な設定画面を作成し、前記デバイスは、前記設定項目に対して設定値を選択することが可能な設定画面により、該選択を行う選択手段を具備することを特徴とする。
【０００９】
また、請求項３の発明は、請求項２の発明において、前記文書処理装置は、前記設定項目に対する設定値を反映した前記機能が行う動作を記述した指示書を作成する指示書作成手段と、前記指示書作成手段で作成した指示書を前記デバイスに対して送信する指示書送信手段とを具備し、前記デバイスは、前記文書処理装置からの前記指示書を受信する指示書受信手段と、前記指示書受信手段で受信した指示書を解析する指示書処理手段と、前記指示書処理手段で解析した指示書の内容に従って前記機能の動作を実行する機能動作手段とを具備し、前記表示制御手段は、前記指示書の内容を表示手段に表示することを特徴とする。
【００１０】
また、請求項４の発明は、請求項３の発明において、前記デバイスは、前記機能がスキャナ機能である場合、前記文書処理装置に対して該スキャナ機能により読み取った文書の格納場所の指定を送信する格納場所指定送信手段を具備し、前記文書処理装置は、前記デバイスからの格納場所の指定を受信する格納場所指定受信手段を具備し、前記指示書作成手段は、前記格納場所指定受信手段で受信した格納場所の指定を記述した指示書を作成し、前記機能動作手段は、前記指示書に記述された格納場所に前記スキャン機能により読み取った文書を格納することを特徴とする。
【００１１】
また、請求項５の発明は、請求項４の発明において、ＷＥＢブラウザが前記機器情報送信手段、表示情報要求送信手段、表示情報受信手段、表示制御手段、指示書受信手段および格納場所指定送信手段による処理を行うことを特徴とする。
【００１２】
また、請求項６の発明は、デバイスと文書処理装置とがネットワークを介して接続する文書処理システムにおいて、前記デバイスは、前記デバイスの機能に対する設定を示す機器情報を管理する機器情報管理手段と、前記文書処理装置に対して前記機器情報を送信する機器情報送信手段と、前記文書処理装置に対して前記機能が行う動作を記述した指示書の要求を送信する指示書要求送信手段と、前記文書処理装置からの前記機器情報に応じた指示書を受信する指示書受信手段と、前記指示書受信手段で受信した指示書を解析する指示書処理手段と、前記指示書処理手段で解析した指示書の内容を表示手段に表示する表示制御手段と、前記指示書の内容に従って前記機能の動作を実行する機能動作手段とを具備し、前記文書処理装置は、前記デバイスからの前記機器情報を受信する機器情報受信手段と、前記機器情報受信手段で受信した機器情報を前記デバイスの情報として管理するデバイス情報管理手段と、前記デバイスからの前記指示書の要求を受信する指示書要求受信手段と、前記指示書要求受信手段で受信した指示書の要求により、前記デバイス情報管理手段で管理されている機器情報に応じた指示書を作成する指示書作成手段と、前記指示書作成手段で作成した指示書を前記デバイスに対して送信する指示書送信手段とを具備することを特徴とする。
【００１３】
また、請求項７の発明は、請求項６の発明において、前記機器情報は、前記機能に対する設定項目と、該設定項目に対する少なくとも１つの設定値とを含み、前記指示書作成手段は、前記設定項目および前記設定値を表示する内容の指示書を作成し、前記設定値が複数存在する場合は、前記設定項目に対して設定値を選択することが可能な指示書を作成することを特徴とする。
【００１４】
また、請求項８の発明は、請求項７の発明において、前記デバイスは、前記機能がスキャナ機能である場合、前記文書処理装置に対して該スキャナ機能により読み取った文書の格納場所の指定を送信する格納場所指定送信手段を具備し、前記文書処理装置は、前記デバイスからの格納場所の指定を受信する格納場所指定受信手段を具備し、前記指示書作成手段は、前記格納場所指定受信手段で受信した格納場所の指定を記述した指示書を作成し、前記機能動作手段は、前記指示書に記述された格納場所に前記スキャン機能により読み取った文書を格納することを特徴とする。
【００１５】
また、請求項９の発明は、請求項８の発明において、ＷＥＢブラウザが前記機器情報送信手段、指示書要求送信手段、指示書受信手段、表示制御手段および格納場所指定受信手段による処理を行うことを特徴とする。
【００１６】
また、請求項１０の発明は、デバイスとがネットワークを介して接続する文書処理装置において、前記デバイスからの該デバイスの機能に対する設定を示す機器情報を受信する機器情報受信手段と、前記機器情報受信手段で受信した機器情報を前記デバイスの情報として管理するデバイス情報管理手段と、前記デバイスからの前記表示情報の要求を受信する表示情報要求受信手段と、前記表示情報要求受信手段で受信した表示情報の要求により、前記デバイス情報管理手段で管理されている機器情報に応じた表示情報を作成する表示情報作成手段と、前記表示情報作成手段で作成した表示情報を前記デバイスに対して送信する表示情報送信手段とを具備することを特徴とする。
【００１７】
また、請求項１１の発明は、請求項１０の発明において、前記機器情報は、前記機能に対する設定項目と、該設定項目に対する少なくとも１つの設定値とを含み、前記表示情報作成手段は、前記設定項目および前記設定値を表示する設定画面を作成し、前記設定値が複数存在する場合は、前記設定項目に対して設定値を選択することが可能な設定画面を作成し、前記デバイスは、前記設定項目に対して設定値を選択することが可能な設定画面により、該選択を行うことを特徴とする。
【００１８】
また、請求項１２の発明は、請求項１１の発明において、前記設定項目に対する設定値を反映した前記機能が行う動作を記述した指示書を作成する指示書作成手段と、前記指示書作成手段で作成した指示書を前記デバイスに対して送信する前記指示書送信手段とを更に具備し、前記デバイスは、前記指示書を受信し、該受信した指示書を解析し、該解析した指示書の内容を表示手段に表示し、該指示書の内容に従って前記機能の動作を実行することを特徴とする。
【００１９】
また、請求項１３の発明は、請求項１２の発明において、前記デバイスは前記機能がスキャナ機能である場合、該デバイスからの該スキャナ機能により読み取った文書の格納場所の指定を受信する格納場所指定受信手段を更に具備し、前記指示書作成手段は前記格納場所指定受信手段で受信した格納場所の指定を記述した指示書を作成し、前記デバイスからの前記スキャン機能により読み取った文書を前記指示書に記述された格納場所に格納することを特徴とする。
【００２０】
また、請求項１４の発明は、デバイスとネットワークを介して接続する文書処理装置において、前記デバイスからの該デバイスの機能に対する設定を示す機器情報を受信する機器情報受信手段と、前記機器情報受信手段で受信した機器情報を前記デバイスの情報として管理するデバイス情報管理手段と、前記デバイスからの前記指示書の要求を受信する指示書要求受信手段と、前記指示書要求受信手段で受信した指示書の要求により、前記デバイス情報管理手段で管理されている機器情報に応じた指示書を作成する指示書作成手段と、前記指示書作成手段で作成した指示書を前記デバイスに対して送信する指示書送信手段とを具備し、前記デバイスは、前記指示書を受信し、該受信した指示書を解析し、該解析した指示書の内容を表示手段に表示し、前記指示書の内容に従って前記機能の動作を実行することを特徴とする。
【００２１】
また、請求項１５の発明は、請求項１４の発明において、前記機器情報は、前記機能に対する設定項目と、該設定項目に対する少なくとも１つの設定値とを含み、前記指示書作成手段は、前記設定項目および前記設定値を表示する内容の指示書を作成し、前記設定値が複数存在する場合は、前記設定項目に対して設定値を選択することが可能な指示書を作成することを特徴とする。
【００２２】
また、請求項１６の発明は、請求項１５の発明において、前記機能がスキャナ機能である場合、前記デバイスからの該スキャナ機能により読み取った文書の格納場所の指定を受信する格納場所指定受信手段を更に具備し、前記指示書作成手段は前記格納場所指定受信手段で受信した格納場所の指定を記述した指示書を作成し、前記デバイスからの前記スキャン機能により読み取った文書を前記指示書に記述された格納場所に格納することを特徴とする。
【００２３】
また、請求項１７の発明は、文書処理装置とネットワークを介して接続するデバイスにおいて、機能に対する設定を示す機器情報を管理する機器情報管理手段と、前記文書処理装置に対して前記機器情報を送信する機器情報送信手段と、前記文書処理装置に対して表示情報の要求を送信する表示情報要求送信手段と、前記文書処理装置からの前記機器情報に応じた表示情報を受信する表示情報受信手段と、前記表示情報受信手段で受信した表示情報を表示手段に表示する表示制御手段とを具備し、前記文書処理装置は、前記機器情報を受信した際に、該受信した機器情報を前記デバイスの情報として管理し、前記表示情報の要求を受信した際に、該受信した表示情報の要求により、前記管理されている機器情報に応じた表示情報を作成し、該作成した表示情報を送信することを特徴とする。
【００２４】
また、請求項１８の発明は、請求項１７の発明において、前記機器情報は前記機能に対する設定項目と、該設定項目に対する少なくとも１つの設定値とを含み、前記文書処理装置が作成した設定項目に対して設定値を選択することが可能な設定画面により、該選択を行う選択手段を具備することを特徴とする。
【００２５】
また、請求項１９の発明は、請求項１８の発明において、前記文書処理装置からの前記設定項目に対する設定値を反映した前記機能が行う動作を記述した指示書を受信する指示書受信手段と、前記指示書受信手段で受信した指示書を解析する指示書処理手段と、前記指示書処理手段で解析した指示書の内容に従って前記機能の動作を実行する機能動作手段とを具備し、前記表示制御手段は、前記指示書の内容を表示手段に表示することを特徴とする。
【００２６】
また、請求項２０の発明は、請求項１９の発明において、前記機能がスキャナ機能である場合、前記文書処理装置に対して該スキャナ機能により読み取った文書の格納場所の指定を送信する格納場所指定送信手段を具備し、前記文書処理装置は、前記デバイスからの格納場所の指定を受信し、該受信した格納場所の指定を記述した指示書を作成し、前記機能動作手段は、前記指示書に記述された格納場所に前記スキャン機能により読み取った文書を格納することを特徴とする。
【００２７】
また、請求項２１の発明は、請求項２０の発明において、ＷＥＢブラウザが前記機器情報送信手段、表示情報要求送信手段、表示情報受信手段、表示制御手段、指示書受信手段および格納場所指定送信手段による処理を行うことを特徴とする。
【００２８】
また、請求項２２の発明において、文書処理装置とネットワークを介して接続するデバイスにおいて、機能に対する設定を示す機器情報を管理する機器情報管理手段と、前記文書処理装置に対して前記機器情報を送信する機器情報送信手段と、前記文書処理装置に対して前記機能が行う動作を記述した指示書の要求を送信する指示書要求送信手段と、前記文書処理装置からの前記機器情報に応じた指示書を受信する指示書受信手段と、前記指示書受信手段で受信した指示書を解析する指示書処理手段と、前記指示書処理手段で解析した指示書の内容を表示手段に表示する表示制御手段と、前記指示書の内容に従って前記機能の動作を実行する機能動作手段とを具備し、前記文書処理装置は、前記機器情報を受信した際に、該受信した機器情報を前記デバイスの情報として管理し、前記指示書の要求を受信した際に、該受信した指示書の要求により、前記管理されている機器情報に応じた指示書を作成し、該作成した指示書を前記デバイスに対して送信することを特徴とする。
【００２９】
また、請求項２３の発明は、請求項２２の発明において、前記機器情報は、前記機能に対する設定項目と、該設定項目に対する少なくとも１つの設定値とを含み、前記文書処理装置は、前記設定項目および前記設定値を表示する内容の指示書を作成し、前記設定値が複数存在する場合は、前記設定項目に対して設定値を選択することが可能な指示書を作成することを特徴とする。
【００３０】
また、請求項２４の発明は、請求項２３の発明において、前記機能がスキャナ機能である場合、前記文書処理装置に対して該スキャナ機能により読み取った文書の格納場所の指定を送信する格納場所指定送信手段を具備し、前記文書処理装置は、前記格納場所指定受信手段で受信した格納場所の指定を記述した指示書を作成し、前記機能動作手段は、前記指示書に記述された格納場所に前記スキャン機能により読み取った文書を格納することを特徴とする。
【００３１】
また、請求項２５の発明は、請求項２４の発明において、ＷＥＢブラウザが前記機器情報送信手段、指示書要求送信手段、指示書受信手段、表示制御手段および格納場所指定受信手段による処理を行うことを特徴とする。
【００３２】
また、請求項２６の発明は、デバイスと文書処理装置とがネットワークを介して接続する文書処理システムのＵＩ表示処理方法において、前記デバイスは機能に対する設定を示す機器情報を機器情報管理手段により管理し、前記デバイスは前記文書処理装置に対して前記機器情報を機器情報送信手段により送信し、前記文書処理装置は前記デバイスからの前記機器情報を機器情報受信手段により受信し、該受信した機器情報を前記デバイスの情報としてデバイス情報管理手段で管理し、前記デバイスは前記文書処理装置に対して表示情報の要求を表示情報要求送信手段により送信し、前記文書処理装置は前記デバイスからの前記表示情報の要求を表示情報要求受信手段により受信し、該受信した表示情報の要求により、前記デバイス情報管理手段で管理されている機器情報に応じた表示情報を表示情報作成手段により作成し、該作成した表示情報を前記デバイスに対して表示情報送信手段により送信し、前記デバイスは前記文書処理装置からの前記機器情報に応じた表示情報を表示情報受信手段により受信し、該受信した表示情報を表示制御手段により表示手段に表示することを特徴とする。
【００３３】
また、請求項２７の発明は、請求項２６の発明において、前記文書処理装置は、前記設定項目に対する設定値を反映した前記機能が行う動作を記述した指示書を指示書作成手段手段により作成し、該作成した指示書を前記デバイスに対して指示書送信手段により送信し、前記デバイスは、前記文書処理装置からの前記指示書を指示書受信手段により受信し、該受信した指示書を指示書処理手段により解析し、該解析した指示書の内容に従って前記機能の動作を機能動作手段により実行し、前記表示制御手段は、前記指示書の内容を表示手段に表示することを特徴とする。
【００３４】
また、請求項２８の発明は、デバイスと文書処理装置とがネットワークを介して接続する文書処理システムのＵＩ表示処理方法において、前記デバイスは前記デバイスの機能に対する設定を示す機器情報を機器情報管理手段により管理し、前記デバイスは前記文書処理装置に対して前記機器情報を機器情報送信手段により送信し、前記文書処理装置は前記デバイスからの前記機器情報を機器情報受信手段により受信し、該受信した機器情報を前記デバイスの情報としてデバイス情報管理手段で管理し、前記デバイスは前記文書処理装置に対して前記機能が行う動作を記述した指示書の要求を指示書要求送信手段により送信し、前記文書処理装置は前記デバイスからの前記指示書の要求を指示書要求受信手段により受信し、該受信した指示書の要求により、前記デバイス情報管理手段で管理されている機器情報に応じた指示書を指示書作成手段により作成し、該作成した指示書を指示書送信手段により前記デバイスに対して送信し、前記デバイスは前記文書処理装置からの前記機器情報に応じた指示書を指示書受信手段により受信し、該受信した指示書を指示書処理手段により解析し、該解析した指示書の内容を表示制御手段により表示手段に表示し、該指示書の内容に従って前記機能の動作を機能動作手段により実行することを特徴とする。
【００３５】
また、請求項２９の発明は、文書処理装置とネットワークを介して接続するデバイスの有するＵＩの表示処理プログラムにおいて、前記デバイスの機能に対する設定を示す機器情報を管理する処理と、前記文書処理装置に対して前記機器情報を送信する処理と、前記文書処理装置に対して表示情報の要求を送信する処理と、前記文書処理装置からの前記機器情報に応じた表示情報を受信する処理と、前記表示情報受信手段で受信した表示情報を表示手段に表示する処理とを前記デバイスに動作させ、前記デバイスからの前記機器情報を受信する処理と、該受信した機器情報を前記デバイスの情報として管理する処理と、前記デバイスからの前記表示情報の要求を受信する処理と、該受信した表示情報の要求により、前記管理されている機器情報に応じた表示情報を作成する処理と、該作成した表示情報を前記デバイスに対して送信する処理とを前記文書処理装置に動作させることを特徴とする。
【００３６】
また、請求項３０の発明は、請求項２９の発明において、前記設定項目に対する設定値を反映した前記機能が行う動作を記述した指示書を作成する処理と、該作成した指示書を前記デバイスに対して送信する処理とを前記文書処理装置に動作させ、前記文書処理装置からの前記指示書を受信する処理と、該受信した指示書を解析する処理と、該解析した指示書の内容に従って前記機能の動作を実行する処理と、前記指示書の内容を表示手段に表示する処理とを前記デバイスに動作させることを特徴とする。
【００３７】
また、請求項３１の発明は、文書処理装置とネットワークを介して接続するデバイスの有するＵＩの表示処理プログラムにおいて、前記デバイスの機能に対する設定を示す機器情報を管理する処理と、前記文書処理装置に対して前記機器情報を送信する処理と、前記文書処理装置に対して前記機能が行う動作を記述した指示書の要求を送信する処理と、前記文書処理装置からの前記機器情報に応じた指示書を受信する処理と、該受信した指示書を解析する処理と、該解析した指示書の内容を表示手段に表示する処理と、前記指示書の内容に従って前記機能の動作を実行する処理とを前記デバイスに動作させ、前記デバイスからの前記機器情報を受信する処理と、該受信した機器情報を前記デバイスの情報として管理する処理と、前記デバイスからの前記指示書の要求を受信する処理と、該受信した指示書の要求により、前記管理されている機器情報に応じた指示書を作成する処理と、該作成した指示書を前記デバイスに対して送信する処理とを前記文書処理装置に動作させることを特徴とする。
【発明の効果】
【００３８】
本発明によれば、デバイスの機器情報に応じたＵＩ画面および指示書を作成することが可能になるという効果を奏する。
【発明を実施するための最良の形態】
【００３９】
以下、本発明に係る文書処理システム、文書処理装置、デバイス、文書処理システムのＵＩ表示処理方法および表示処理プログラムの実施の形態について添付図面を参照して詳細に説明する。
【００４０】
図１は、本発明を適用した文書処理システムの構成の一例を示す図である。
【００４１】
図１に示すように、文書処理システムは、本発明に係るデバイスである複合機１と、本発明に係る文書処理装置２とがネットワーク３に接続して構成される。
【００４２】
複合機１は、コピー、プリント、スキャンおよびファクス等の複数の機能を処理することが可能なデジタル装置である。
【００４３】
文書処理装置２は、Ｗｅｂサーバであり、種々の文書の格納および管理、複合機１毎の複合機情報の管理、複合機１に表示する表示画面および複合機１上で実行できる指示書の作成を行う。
【００４４】
図２は、複合機１および文書処理装置２の機能的な構成の一例を示すブロック図である。
【００４５】
図２に示すように複合機１は、ＵＩ処理部４、コントロールパネル５、機器情報管理部６、指示書処理部７、スキャン処理部８、文書送信部９を具備して構成される。
【００４６】
ＵＩ処理部４は、ＨＴＴＰ（Hyper Text Transfer Protocol）等で文書処理装置２と通信を行い、ＨＴＭＬ（Hyper Text Markup Language）等で記述されたＷｅｂページ（以後、ページと称する）の解釈および表示を行うブラウザ１０を有している。具体的に、文書処理装置２の通信とは、文書処理装置２に対するページまたは指示書（複合機１上での動作を記述したスクリプト）の要求、文書処理装置２から送信されたページまたは指示書の受信等である。
【００４７】
コントロールパネル５は、ＵＩ処理部４が文書処理装置２から受信したページを表示するとともに、ユーザからの複合機１の各機能に対する設定を受け付け、例えば、液晶タッチパネル方式を用いても良い。
【００４８】
機器情報管理部６は、複合機１の各機能に対する設定（例えば、スキャン機能に対する読み取り解像度、原稿の画質等）を機器情報として管理する。
【００４９】
指示書処理部７は、ＵＩ処理部４が文書処理装置２から受信した指示書の解析等の処理を行う。
【００５０】
スキャン処理部８は、プラテン１１上に設置された複写体となる原稿の画像情報を電子データとしてスキャンする処理を行う。
【００５１】
文書送信部９は、スキャン処理部８がスキャンした文書を文書処理装置２に送信する処理を行う。
【００５２】
図２に示すように文書処理装置２は、ＵＩ作成部１２、指示書作成部１３、デバイス情報管理部１４、文書格納部１５を具備して構成される。
【００５３】
ＵＩ作成部１２は、複合機１からのページの要求に従って、ページの作成を行う。
【００５４】
指示書作成部１３は、複合機１からの指示書の要求に従って、指示書の作成を行う。
【００５５】
デバイス情報管理部１４は、各複合機１の機器情報を管理する。
【００５６】
文書格納部１５は、複合機１から送信された文書を格納する。
【実施例１】
【００５７】
実施例１では、複合機１から送信される機器情報を元に、文書処理装置２が複合機１に応じたページを送信する構成について説明する。
【００５８】
複合機１のスキャン機能で原稿をスキャンする際に、複合機１および文書処理装置２が行う機能的な動作について図２を参照して説明する。
【００５９】
ユーザが複合機１のコントロールパネル５により文書処理装置２との接続の要求を入力すると、ＵＩ処理部４は文書処理装２置との接続の要求を受け付け、機器情報管理部６から機器情報を読み出し、ＵＩ処理部４のブラウザ１０は接続先に要求された文書処理装置２に対してページの要求に機器情報を含めてＨＴＴＰで送信する。なお、要求への機器情報の含め方としては、ＨＴＴＰのヘッダに含める方法、ＵＲＬに含める方法等がある。
【００６０】
文書処理装置２のＵＩ作成部１２は複合機１からのページの要求を受信すると、受信した要求に含まれている機器情報をデバイス情報管理部１４に格納し、最初のページを複合機１に対して送信する。
【００６１】
複合機１のＵＩ処理部４のブラウザ１０は文書処理装置２からの最初のページを受信すると、受信した最初のページをコントロールパネル５に表示する。
【００６２】
その後、コントロールパネル５に表示された最初のページ上で、新たなページの要求を入力すると、ＵＩ処理部４のブラウザ１０が文書処理装置２に対してページの要求を送信し、文書処理装置２のＵＩ作成部１２はページの要求を受信すると、受信した要求に応じたページを複合機１に対して送信し、複合機１のＵＩ処理部４のブラウザ１０がページを受信すると、受信したページをコントロールパネル５に表示する。
【００６３】
ユーザが複合機１のコントロールパネル５に表示されたページから、スキャンする文書の格納場所の指定を入力すると、ＵＩ処理部４のブラウザ１０は文書処理装置２に対して文書の格納場所の指定を送信する。
【００６４】
文書処理装置２のＵＩ作成部１２は複合機１からの文書の格納場所の指定を受信すると、デバイス情報管理部１４からその複合機１の機器情報を読み出し、読み出した機器情報に基づき、その複合機１に応じたスキャン設定ページを作成し、作成したスキャン設定ページを複合機１に対して送信する。
【００６５】
複合機１のＵＩ処理部４のブラウザ１０は文書処理装置２からのスキャン設定ページを受信すると、受信したスキャン設定ページをコントロールパネル５に表示する。
【００６６】
ユーザは複合機１のコントロールパネル５に表示されたスキャン設定ページ上で、これから実施するスキャン設定の項目の値を入力すると、ＵＩ処理部４のブラウザ１０は文書処理装置２に対してスキャン設定の項目の値を送信する。
【００６７】
文書処理装置２のＵＩ作成部１２は複合機１からのスキャン設定の項目の値を受信すると、受信したスキャン設定の項目の値を指示書作成部１３に渡し、指示書作成部１３はスキャン設定の項目の値を受け取ると、受け取ったスキャン設定の項目の値に基づいて指示書を作成し、作成した指示書をＵＩ作成部１２に渡し、ＵＩ作成部１２は指示書を受け取ると、受け取った指示書を複合機１に対して送信する。
【００６８】
複合機１のＵＩ処理部４のブラウザ１０は文書処理装置２からの指示書を受信すると、受信した指示書を指示書処理部７に渡し、指示書処理部７は指示書を受け取ると、受け取った指示書を解析し、解析した指示書の内容をＵＩ処理部４のブラウザ１０に渡し、ＵＩ処理部４のブラウザ１０は指示書の内容をコントロールパネル５に表示する。
【００６９】
ユーザはコントロールパネル５に表示された指示書の内容を確認し、コントロールパネル５によりスキャンの実施を入力すると、ＵＩ処理部４のブラウザ１０はスキャンの実施を指示書処理部７に通知し、指示書処理部７はスキャンの実施の通知を受け付けると、スキャン処理部８にスキャンの実施を通知するとともに、指示書の内容であるスキャン設定の項目の値を渡し、スキャン処理部８はスキャンの実施の通知を受け付け、スキャン設定の項目の値を受け取ると、受け取ったスキャン設定の項目の値に従って、プラテン１１上に設置された原稿のスキャンを実施し、スキャンした文書を文書送信部９に転送する。
【００７０】
指示書処理部７は指示書の内容である文書の格納場所を文書送信部９に渡し、文書送信部９はスキャン処理部８からの文書および指示書処理部７からの文書の格納場所を受け取ると、受け取った文書とその文書の格納場所とを文書処理装置２に対して送信する。
【００７１】
文書処理装置２は複合機１からの文書とその文書の格納場所とを受信すると、文書を指定された文書格納部１５内の格納場所に格納する。
【００７２】
次に、複合機のスキャン機能で原稿をスキャンする際に、複合機で行われる処理手順、文書処理装置で行われる処理手順、および複合機と文書処理装置とで行われる通信の処理手順について図３に示すフローチャートを参照して説明する。
【００７３】
初めに、複合機のコントロールパネルには図４に示すトップページが表示されている。ユーザはこの画面上の「文書処理装置接続」のボタンを押下等すると、コントロールパネルには図５に示す画面が表示される。
【００７４】
図５に示す画面には複合機とネットワークを介して接続している文書処理装置のリストが表示される。なお、図５では、「文書処理装置１」、「文書処理装置２」がリストアップされている。ここで、ユーザはこの画面から接続する文書処理装置を選択する。これは、図５において、「文書処理装置１」を押下等することである。
【００７５】
ここで、複合機は接続先の選択を受け付けると（ステップＳ３０１）、選択された接続先である文書処理装置に対して機器情報を含めたページの要求を送信する（ステップＳ３０２）。文書処理装置は複合機からのページの要求を受信し、受信したページの要求に含まれる機器情報を格納する（ステップＳ３０３）。
【００７６】
図６は、デバイス情報管理部に格納されたデバイスに対応する機器情報の一例を示す図である。図６に示すように、デバイスを識別する方法としてＩＰアドレスを使用し、例えば、「ＩＰアドレス１」の機器情報として、「読み取り解像度［設定できる値＝２００、３００、４００］」、「原稿の画質［設定できる値＝文字／写真、文字、写真（中間調）］」が格納され、「ＩＰアドレス２」の機器情報として、「読み込み濃度［設定できる値＝０、２０、４０、６０、８０、１００］」、「読み取りサイズ［設定できる値＝自動、Ａ３、Ａ４、Ｂ５、Ａ４縦］」が格納され、「ＩＰアドレス３」の機器情報として、「読み取り倍率［設定できる値＝１００％、８１％、７０％］」、「両面原稿送り［設定できる値＝する、しない］」、「出力先［設定できる値＝プリンター１、親展ボックス１、ジョブテンプレート１、フローサービス１］」が格納されている。なお、ステップＳ３０２において文書処理装置に送信した機器情報を「ＩＰアドレス１」の機器情報として、今後のフローチャートを説明する。
【００７７】
ここで、図３に示すフローチャートの説明に戻り、文書処理装置は複合機に対して最初のページを送信する（ステップＳ３０４）。複合機は文書処理装置からの最初のページを受信し、受信した最初のページを表示する（ステップＳ３０５）。
【００７８】
図７は、複合機のコントロールパネルに表示された最初のページの一例を示す図である。図７に示すように、最初のページにはルートフォルダーが表示され、例えば、ルートフォルダーとして「開発部  ＵＩデザインＧフォルダー」、「開発部  ＵＩソフトウェアＧフォルダー」が表示されている。
【００７９】
ここで、図３に示すフローチャートの説明に戻り、複合機は文書処理装置に対してルートフォルダーの内容を要求する（ステップＳ３０６）。これは、図７において、「開発部  ＵＩデザインＧフォルダー」を押下等することである。文書処理装置は複合機からのルートフォルダーの内容の要求を受信すると、複合機に対して要求されたルートフォルダーの内容を表すページを送信する（ステップＳ３０７）。複合機は文書処理装置からのルートフォルダーの内容を表すページを受信すると、受信したルートフォルダーの内容を表すページを表示する（ステップＳ３０８）。
【００８０】
図８は、複合機のコントロールパネルに表示されたルートフォルダーの内容を表すページの一例を示す図である。図８に示すように、例えば、「開発部  ＵＩデザインＧフォルダー」に保存されている「開発部  ＵＩデザインＧ  メンバー用」のフォルダー、「仕様書Ｖ１」のファイル、「仕様書Ｖ２」のファイル、「仕様書Ｖ３」のファイル、「仕様書Ｖ４」のファイルが表示されている。
【００８１】
ここで、図３に示すフローチャートの説明に戻り、そのページに表示された内容の中のルートフォルダーの内容を表示したい場合（ステップＳ３０９でＮＯ）、ステップＳ３０６に戻る。これは、図８において、「開発部  ＵＩデザインＧ  メンバー用」のフォルダーの内容を要求することである。
【００８２】
また、そのページに表示されたルートフォルダーを文書の格納場所にする場合（ステップＳ３０９でＹＥＳ）、ステップＳ３１０に進む。これは、図８において、「スキャン保存」のボタンを押下等することである。複合機は文書処理装置に対して文書の格納場所を指定する旨を送信する。文書処理装置は複合機からの文書の格納場所を指定する旨を受信すると、その複合機の機器情報（図６に示す「ＩＰアドレス１」の機器情報）に基づいてスキャン設定ページを作成し（ステップＳ３１１）、作成したスキャン設定ページを複合機に対して送信する（ステップＳ３１２）。複合機は文書処理装置からのスキャン設定ページを受信すると、受信したスキャン設定ページを表示する（ステップＳ３１３）。
【００８３】
図９は、複合機のコントロールパネルに表示されたスキャン設定ページの一例を示す図である。図９に示すように、例えば、図６に示す「ＩＰアドレス１」の機器情報として格納されていたスキャン設定である「読み取り解像度」および「原稿の画質」が表示され、「読み取り解像度」に対する値を「２００ｄｐｉ」、「３００ｄｐｉ」、「４００ｄｐｉ」から設定でき、「原稿の画質」に対する値を「文字／写真」、「文字」、「写真（中間調）」から設定できるようになっている。
【００８４】
ここで、図３に示すフローチャートの説明に戻り、複合機は文書処理装置に対してスキャン設定の項目の値を送信する（ステップＳ３１４）。これは、図９において、「２００ｄｐｉ」、「文字／写真」および「スキャン開始」を押下等することである。文書処理装置は複合機からのスキャン設定の項目の値を受信すると、受信したスキャン設定の項目の値に基づいて指示書を作成し（ステップＳ３１５）、作成した指示書を複合機に対して送信する（ステップＳ３１６）。複合機は文書処理装置からの指示書を受信すると、受信した指示書を解析し（ステップＳ３１７）、解析した指示書の内容を表示する（ステップＳ３１８）。
【００８５】
図１０は、複合機のコントロールパネルに表示された指示書の内容の一例を示す図である。図１０に示すように、例えば、「格納場所」として「開発部  ＵＩデザインＧフォルダー」を設定したこと、「読み取り解像度」として「２００ｄｐｉ」を設定したこと、および「原稿の画質」として「文字／写真」を設定したことが表示されている。
【００８６】
ここで、図３に示すフローチャートの説明に戻り、図１０において、「はい」のボタンを押下等することで、複合機はスキャンを実施し（ステップＳ３１９）、文書処理装置に対してスキャンした文書を送信する（ステップ３２０）。文書処理装置は複合機からのスキャンした文書を指定された格納場所（「開発部  ＵＩデザインＧフォルダー」内）に格納し（ステップＳ３２１）、図３に示すフローチャートを終了する。
【実施例２】
【００８７】
実施例２では、複合機１から送信される機器情報を元に、文書処理装置２が複合機１に応じた指示書を送信する構成について説明する。
【００８８】
複合機１のスキャン機能で原稿をスキャンする際に、複合機１および文書処理装置２が行う機能的な動作について図２を参照して説明する。
【００８９】
ユーザが複合機１のコントロールパネル５により文書処理装置２との接続の要求を入力すると、ＵＩ処理部４は文書処理装置２との接続の要求を受け付け、機器情報管理部６から機器情報を読み出し、ＵＩ処理部４のブラウザ１０は接続先に要求された文書処理装置２に対してページの要求に機器情報を含めてＨＴＴＰで送信する。なお、要求への機器情報の含め方としては、ＨＴＴＰのヘッダに含める方法、ＵＲＬに含める方法等がある。
【００９０】
文書処理装置２のＵＩ作成部１２は複合機１からのページの要求を受信すると、受信した要求に含まれている機器情報をデバイス情報管理部１４に格納し、最初のページを複合機１に対して送信する。
【００９１】
複合機１のＵＩ処理部４のブラウザ１０は文書処理装置２からの最初のページを受信すると、受信した最初のページをコントロールパネル５に表示する。
【００９２】
その後、コントロールパネル５に表示された最初のページ上で、新たなページの要求を入力すると、ＵＩ処理部４のブラウザ１０が文書処理装置２に対してページの要求を送信し、文書処理装置２のＵＩ作成部１２はページの要求を受信すると、受信した要求に応じたページを複合機１に対して送信し、複合機１のＵＩ処理部４のブラウザ１０がページを受信すると、受信したページをコントロールパネル５に表示する。
【００９３】
ユーザが複合機１のコントロールパネル５に表示されたページから、スキャンする文書の格納場所の指定を入力すると、ＵＩ処理部４のブラウザ１０は文書処理装置２に対して文書の格納場所の指定を送信する。
【００９４】
文書処理装置２のＵＩ作成部１２は複合機１からの文書の格納場所の指定を受信すると、デバイス情報管理部１４からその複合機１の機器情報を読み出し、読み出した機器情報を指示書作成部１３に渡し、指示書作成部１３は機器情報を受け取ると、受け取った機器情報に基づいて変更可能なスキャン設定の項目を確認し、確認した項目を変更可能に指定した指示書を作成し、作成した指示書をＵＩ作成部１２に渡し、ＵＩ作成部１２は指示書を受け取ると、受け取った指示書を複合機１に対して送信する。
【００９５】
複合機２のＵＩ処理部４のブラウザ１０は文書処理装置２からの指示書を受信すると、受信した指示書を指示書処理部７に渡し、指示書処理部７は指示書を受け取ると、受け取った指示書を解析し、解析した指示書の内容をＵＩ処理部４のブラウザ１０に渡し、ＵＩ処理部４のブラウザ１０は指示書の内容をコントロールパネル５に表示する。
【００９６】
ユーザは複合機１のコントロールパネル５により、これから実施するスキャン設定の項目の値を入力すると、ＵＩ処理部４のブラウザ１０は入力された値を指示書処理部７に渡し、ユーザはコントロールパネル５によりスキャンの実施を入力すると、ＵＩ処理部４のブラウザ１０はスキャンの実施を指示書処理部７に通知し、指示書処理部７はスキャンの実施の通知を受け付けると、スキャン処理部８にスキャンの実施を通知するとともに、指示書の内容であるスキャン設定の項目の値を渡し、スキャン処理部８はスキャンの実施の通知を受け付け、スキャン設定の項目の値を受け取ると、受け取ったスキャン設定の項目の値に従って、プラテン１１上に設置された原稿のスキャンを実施し、スキャンした文書を文書送信部９に転送する。
【００９７】
指示書処理部７は指示書の内容である文書の格納場所を文書送信部９に渡し、文書送信部９はスキャン処理部８からの文書および指示書処理部７からの文書の格納場所を受け取ると、受け取った文書とその文書の格納場所とを文書処理装置２に対して送信する。
【００９８】
文書処理装置２は複合機１からの文書とその文書の格納場所とを受信すると、文書を指定された文書格納部１５内の格納場所に格納する。
【００９９】
次に、複合機のスキャン機能で原稿をスキャンする際に、複合機で行われる処理手順、文書処理装置で行われる処理手順、および複合機と文書処理装置とで行われる通信の処理手順について図１１に示すフローチャートを参照して説明する。
【０１００】
初めに、複合機のコントロールパネルには図４に示すページが表示されている。ユーザはこの画面上の「文書処理装置接続」のボタンを押下等すると、コントロールパネルには図５に示す画面が表示される。
【０１０１】
図５に示す画面には複合機とネットワークを介して接続している文書処理装置のリストが表示される。なお、図５では、「文書処理装置１」、「文書処理装置２」がリストアップされている。ここで、ユーザはこの画面から接続する文書処理装置を選択する。これは、図５において、「文書処理装置１」を押下等することである。
【０１０２】
ここで、複合機は接続先の選択を受け付けると（ステップＳ１１０１）、選択された接続先である文書処理装置に対して機器情報を含めたページの要求を送信する（ステップＳ１１０２）。文書処理装置は複合機からのページの要求を受信し、受信したページの要求に含まれる機器情報を格納する（ステップＳ１１０３）。
【０１０３】
図６は、デバイス情報管理部に格納されたデバイスに対応する機器情報の一例を示す図である。図６に示すように、デバイスを識別する方法としてＩＰアドレスを使用し、例えば、「ＩＰアドレス１」の機器情報として、「読み取り解像度［設定できる値＝２００、３００、４００］」、「原稿の画質［設定できる値＝文字／写真、文字、写真（中間調）］」が格納され、「ＩＰアドレス２」の機器情報として、「読み込み濃度［設定できる値＝０、２０、４０、６０、８０、１００］」、「読み取りサイズ［設定できる値＝自動、Ａ３、Ａ４、Ｂ５、Ａ４縦］」が格納され、「ＩＰアドレス３」の機器情報として、「読み取り倍率［設定できる値＝１００％、８１％、７０％］」、「両面原稿送り［設定できる値＝する、しない］」、「出力先［設定できる値＝プリンター１、親展ボックス１、ジョブテンプレート１、フローサービス１］」が格納されている。なお、ステップＳ３０２において文書処理装置に送信した機器情報を「ＩＰアドレス１」の機器情報として、今後のフローチャートを説明する。
【０１０４】
ここで、図１１に示すフローチャートの説明に戻り、文書処理装置は複合機に対して最初のページを送信する（ステップＳ１１０４）。複合機は文書処理装置からの最初のページを受信し、受信した最初のページを表示する（ステップＳ１１０５）。
【０１０５】
図７は、複合機のコントロールパネルに表示された最初のページの一例を示す図である。図７に示すように、最初のページにはルートフォルダーが表示され、例えば、ルートフォルダーとして「開発部  ＵＩデザインＧフォルダー」、「開発部  ＵＩソフトウェアＧフォルダー」が表示されている。
【０１０６】
ここで、図１１に示すフローチャートの説明に戻り、複合機は文書処理装置に対してルートフォルダーの内容を要求する（ステップＳ１１０６）。これは、図７において、「開発部  ＵＩデザインＧフォルダー」を押下等することである。文書処理装置は複合機からのルートフォルダーの内容の要求を受信すると、複合機に対して要求されたルートフォルダーの内容を表すページを送信する（ステップＳ１１０７）。複合機は文書処理装置からのルートフォルダーの内容を表すページを受信すると、受信したルートフォルダーの内容を表すページを表示する（ステップＳ１１０８）。
【０１０７】
図８は、複合機のコントロールパネルに表示されたルートフォルダーの内容を表すページの一例を示す図である。図８に示すように、例えば、「開発部  ＵＩデザインＧフォルダー」に保存されている「開発部  ＵＩデザインＧ  メンバー用」のフォルダー、「仕様書Ｖ１」のファイル、「仕様書Ｖ２」のファイル、「仕様書Ｖ３」のファイル、「仕様書Ｖ４」のファイルが表示されている。
【０１０８】
ここで、図１１に示すフローチャートの説明に戻り、そのページに表示された内容の中のルートフォルダーの内容を表示したい場合（ステップＳ１１０９でＮＯ）、ステップＳ３０６に戻る。これは、図８において、「開発部  ＵＩデザインＧ  メンバー用」のフォルダーの内容を要求することである。
【０１０９】
また、そのページに表示されたルートフォルダーを文書の格納場所にする場合（ステップＳ１１０９でＹＥＳ）、ステップＳ１１１０に進む。これは、図８において、「スキャン保存」のボタンを押下等することである。複合機は文書処理装置に対して文書の格納場所を指定する旨を送信する。文書処理装置は複合機からの文書の格納場所を指定する旨を受信すると、その複合機の機器情報（図６に示す「ＩＰアドレス１」の機器情報）に基づいて変更可能なスキャン設定の項目を確認し（ステップＳ１１１１）、確認した項目を変更可能に指定した指示書を作成し（ステップＳ１１１２）、作成した指示書を複合機に対して送信する（ステップＳ１１１３）。これは、図６に示す「ＩＰアドレス１」の機器情報として格納されていたスキャン設定である「読み取り解像度」および「原稿の画質」が変更可能（「読み取り解像度」に対して「２００ｄｐｉ」、「３００ｄｐｉ」、「４００ｄｐｉ」に変更可能、「原稿の画質」に対して「文字／写真」、「文字」、「写真（中間調）」に変更可能）なスキャン設定の項目となる。複合機は文書処理装置からの指示書を受信すると、受信した指示書を解析し（ステップＳ１１１４）、解析した指示書の内容を表示する（ステップＳ１１１５）。
【０１１０】
図１２は、複合機のコントロールパネルに表示された指示書の内容の一例を示す図である。図１２に示すように、例えば、この指示書において変更可能な「読み取り解像度」および「原稿の画質」が表示され、「読み取り解像度」に対する値を「２００ｄｐｉ」、「３００ｄｐｉ」、「４００ｄｐｉ」から設定でき、「原稿の画質」に対する値を「文字／写真」、「文字」、「写真（中間調）」から設定できるようになっている。
【０１１１】
ここで、図１１に示すフローチャートの説明に戻り、図１２において、「スキャン開始」のボタンを押下等することで、複合機はスキャンを実施し（ステップＳ１１１７）、文書処理装置に対してスキャンした文書を送信する（ステップ１１１８）。文書処理装置は複合機からのスキャンした文書を指定された格納場所（「開発部  ＵＩデザインＧフォルダー」内）に格納し（ステップＳ１１１９）、図１２に示すフローチャートを終了する。  なお、実施例１および実施例２では、文書処理装置にスキャンした文書を格納するだけであったが、他の出力先に同時に出力する構成も可能である。例えば、図６に示す「ＩＰアドレス３」の機器情報のように、出力先を機器情報として登録し、図９に示すスキャン設定ページ、または図１２に示す指示書の内容において出力先を選択することで、文書処理装置に文書を格納すると同時に、出力先のプリンタ、サービス等の格納場所にスキャンした文書を格納することができる。
【０１１２】
また、複雑な機器情報を複合機から文書処理装置に送信できない場合も考えられるため、予めデバイスの種類と機器情報との対応表を文書処理装置に格納する構成も可能である。図１３は、デバイスの種類と機器情報との対応表の一例を示す図である。図１３に示すように、「ＭＦＰ−Ａ」、「ＭＦＰ−Ｂ」および「ＭＦＰ−Ｃ」はデバイスの種類を表し、例えば、複合機が文書処理装置に対して最初のページを要求する際に、その要求に機器情報を含める代わりにデバイスの種類を含めても良い。これにより、新たなデバイスが発売されたとしても、文書処理装置は対応表を更新することで、新たなデバイスに対応することが可能になる。
【０１１３】
また、実施例１および実施例２において、文書処理装置に接続する時は、ユーザにログインを行わせる場合も考えられるため、予めユーザとスキャン設定の値との対応表を文書処理装置に格納する構成も可能である。図１４は、ユーザとスキャン設定の値との対応表の一例を示す図である。図１４に示すように、「ユーザＡ」では「読み取り解像度」が「３００ｄｐｉ」、「読み込み濃度」が「６０」に設定されており、「ユーザＢ」では「読み取りサイズ」が「Ａ４」に設定されている。更に、実施例１および実施例２のように、「ＩＰアドレス１」のデバイスから「ユーザＡ」がログインして文書処理装置に接続した場合、図６に示すように「ＩＰアドレス１」の機器情報は「読み取り解像度」および「原稿の画質」であり、「ユーザＡ」で設定されているスキャン設定は「読み取り解像度」および「読み込み濃度」であるため、この二つに同時に含まれる「読み取り解像度」だけを図９に示すスキャン設定ページ、または図１２に示す指示書の内容に表示することも可能である。更に、「読み取り解像度」を「３００ｄｐｉ」で選択した状態で表示することも可能である。
【０１１４】
なお、上記実施例で説明した複写機（デバイス）および文書管理装置と同様の動作を行うことが可能な表示処理プログラムを、デバイスおよび一般的なＰＣ、サーバ等にインストールする構成でも適用可能である。
【図面の簡単な説明】
【０１１５】
【図１】本発明を適用した文書処理システムの構成の一例を示す図である。
【図２】複合機１および文書処理装置２の機能的な構成の一例を示すブロック図である。
【図３】複合機のスキャン機能で原稿をスキャンする際に、複合機で行われる処理手順、文書処理装置で行われる処理手順、および複合機と文書処理装置とで行われる通信の処理手順を示すフローチャートである。
【図４】複合機のコントロールパネルに表示されたトップページの一例を示す図である。
【図５】複合機のコントロールパネルに表示された接続先リストページの一例を示す図である。
【図６】デバイス情報管理部に格納されたデバイスに対応する機器情報の一例を示す図である。
【図７】複合機のコントロールパネルに表示された最初のページの一例を示す図である。
【図８】複合機のコントロールパネルに表示されたルートフォルダーの内容を表すページの一例を示す図である。
【図９】複合機のコントロールパネルに表示されたスキャン設定ページの一例を示す図である。
【図１０】複合機のコントロールパネルに表示された指示書の内容の一例を示す図である。
【図１１】複合機のスキャン機能で原稿をスキャンする際に、複合機で行われる処理手順、文書処理装置で行われる処理手順、および複合機と文書処理装置とで行われる通信の処理手順を示すフローチャートである。
【図１２】複合機のコントロールパネルに表示された指示書の内容の一例を示す図である。
【図１３】デバイスの種類と機器情報との対応表の一例を示す図である。
【図１４】ユーザとスキャン設定の値との対応表の一例を示す図である。
【符号の説明】
【０１１６】
１    複合機
２    文書処理装置
３    ネットワーク
４    ＵＩ処理部
５    コントロールパネル
６    機器情報管理部
７    指示書処理部
８    スキャン処理部
９    文書送信部
１０    ブラウザ
１１    プラテン
１２    ＵＩ作成部
１３    指示書作成部
１４    デバイス情報管理部
１５    文書格納部
【図１】
2006129356.tif 000003
【図２】
2006129356.tif 000004
【図３】
2006129356.tif 000005
【図４】
2006129356.tif 000006
【図５】
2006129356.tif 000007
【図６】
2006129356.tif 000008
【図７】
2006129356.tif 000009
【図８】
2006129356.tif 000010
【図９】
2006129356.tif 000011
【図１０】
2006129356.tif 000012
【図１１】
2006129356.tif 000013
【図１２】
2006129356.tif 000014
【図１３】
2006129356.tif 000015
【図１４】
2006129356.tif 000016